【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
繊維を含む単票の原料を供給する供給部と、
前記供給部から供給される繊維を含む原料を粗砕片に粗砕する粗砕部と、
前記粗砕片を解繊物に解繊する解繊部と、
前記解繊物の少なくとも一部を堆積させてシートを成形する堆積部と、
前記シートを切断する切断部と、
前記切断部により切断されたシートの端材を、前記粗砕部または前記解繊部に搬送する搬送部と、を有し、
前記搬送部により前記端材が前記粗砕部または前記解繊部に搬送されるときは、前記供給部による前記原料の供給間隔を前記端材が前記粗砕部または前記解繊部に搬送されないときよりも長くすることを特徴とするシート製造装置。
【請求項２】
請求項１に記載のシート製造装置において、
前記シートが切断され前記端材が発生したことを検出する検出部を有することを特徴とするシート製造装置。
【請求項３】
請求項２に記載のシート製造装置において、
前記検出部は、前記端材の量を検出することを特徴とするシート製造装置。
【請求項４】
請求項１に記載のシート製造装置において、
前記供給部による前記原料の供給を開始してから所定時間経過後に、前記供給部は前記原料の供給間隔を長くすることを特徴とするシート製造装置。
【請求項５】
請求項１から請求項４のいずれか一項に記載のシート製造装置において、
前記解繊部は、前記粗砕片を解繊するための回転体を有し、
前記搬送部により前記端材が前記粗砕部または前記解繊部に搬送される場合に、前記回転体の回転速度を第１速度よりも遅い第２速度にすることを特徴とするシート製造装置。
【請求項６】
繊維を含む単票の原料を供給する供給部と、
前記供給部から供給される繊維を含む原料を粗砕片に粗砕する粗砕部と、
前記粗砕片を解繊物に解繊する解繊部と、
複数の開口を有し、前記解繊部により解繊された前記解繊物を選別する選別部と、
前記選別部の前記開口を通過した解繊物を堆積させて用いてシートを成形する堆積部と、
前記選別部の前記開口を通過しない解繊物を前記粗砕部または前記解繊部に搬送する第１搬送部と、を有し、
前記第１搬送部により前記解繊物が前記粗砕部または前記解繊部に搬送されていないときの前記供給部に前記供給間隔を第１時間とし、
前記第１搬送部により前記解繊物が前記粗砕部または前記解繊部に搬送されているときの前記供給部に前記供給間隔を第２時間とし、
前記第２時間は、前記第１時間よりも長くすることを特徴とするシート製造装置。
【請求項７】
請求項６に記載のシート製造装置において、
前記シートを切断する切断部と、
前記切断部により切断されたシートの端材を、前記粗砕部または前記解繊部に搬送する第２搬送部と、を有し、
前記第２搬送部により前記端材が前記粗砕部または前記解繊部に搬送される場合に、前記供給部による前記原料の供給間隔を前記第２時間から第３時間に長くすることを特徴とするシート製造装置。
【請求項８】
繊維を含む単票の原料を供給し、
供給される繊維を含む原料を粗砕片に粗砕し、
前記粗砕片を解繊物に解繊し、
前記解繊物の少なくとも一部を用いてシートを成形し、
成形された前記シートを切断し、
切断された前記シートの端材を、粗砕または解繊して前記シートの少なくとも一部として用いるときは、前記切断された前記シートの端材を前記シートに用いないときよりも前記原料の供給間隔を長くすることを特徴とするシート製造方法。
【請求項９】
繊維を含む単票の原料を供給し、
供給される繊維を含む原料を粗砕片に粗砕し、
前記粗砕片を解繊物に解繊し、
解繊された前記解繊物を第１選別物と第２選別物とに選別し、
前記第１選別物を用いてシートを成形し、
前記第２選別物を粗砕または解繊して前記シートの少なくとも一部として用いるときは、前記第２選別部を前記シートに用いないときよりも前記原料の供給間隔を長くすることを特徴とするシート製造方法。
【手続補正２】
【補正対象書類名】明細書
【補正対象項目名】０００７
【補正方法】変更
【補正の内容】
【０００７】
この構成によれば、シートの端材が粗砕部または解繊部に搬送される場合、供給部による原料の供給間隔が長くなる。これにより、シートの端材が供給される分、供給部から供給される原料の供給量が減少するため、粗砕部または解繊部への原料の全体供給量が一定となる。従って、成形されるシートの厚みの変動を抑えることができる。
また、本適用例にかかるシート製造装置は、繊維を含む単票の原料を供給する供給部と、前記供給部から供給される繊維を含む原料を粗砕片に粗砕する粗砕部と、前記粗砕片を解繊物に解繊する解繊部と、前記解繊物の少なくとも一部を堆積させてシートを成形する堆積部と、前記シートを切断する切断部と、前記切断部により切断されたシートの端材を、前記粗砕部または前記解繊部に搬送する搬送部と、を有し、前記搬送部により前記端材が前記粗砕部または前記解繊部に搬送されるときは、前記供給部による前記原料の供給間隔を前記端材が前記粗砕部または前記解繊部に搬送されないときよりも長くすることを特徴とする。
【手続補正３】
【補正対象書類名】明細書
【補正対象項目名】００１７
【補正方法】変更
【補正の内容】
【００１７】
この構成によれば、十分に解繊されなかったものを粗砕部または解繊部に供給（再利用）する際に、供給部から供給する原料の供給間隔を長くすることで、粗砕部または解繊部への原料の全体供給量を一定にすることができ、成形されるシートの厚みの変動を抑えることが可能となる。
また、本適用例にかかるシート製造装置は、繊維を含む単票の原料を供給する供給部と、前記供給部から供給される繊維を含む原料を粗砕片に粗砕する粗砕部と、前記粗砕片を解繊物に解繊する解繊部と、複数の開口を有し、前記解繊部により解繊された前記解繊物を選別する選別部と、前記選別部の前記開口を通過した解繊物を堆積させて用いてシートを成形する堆積部と、前記選別部の前記開口を通過しない解繊物を前記粗砕部または前記解繊部に搬送する第１搬送部と、を有し、前記第１搬送部により前記解繊物が前記粗砕部または前記解繊部に搬送されていないときの前記供給部に前記供給間隔を第１時間とし、前記第１搬送部により前記解繊物が前記粗砕部または前記解繊部に搬送されているときの前記供給部に前記供給間隔を第２時間とし、前記第２時間は、前記第１時間よりも長くすることを特徴とする。
【手続補正４】
【補正対象書類名】明細書
【補正対象項目名】００２１
【補正方法】変更
【補正の内容】
【００２１】
この構成によれば、シートの端材が、粗砕のため粗砕部にまたは解繊のため解繊部に搬送される場合、供給部による原料の供給間隔が長くなる。これにより、シートの端材が供給される分、供給部から供給される原料の供給量が減少するため、粗砕部または解繊部への原料の全体供給量が一定となる。従って、成形されるシートの厚みの変動を抑えることができる。
また、本適用例にかかるシート製造方法は、繊維を含む単票の原料を供給し、供給される繊維を含む原料を粗砕片に粗砕し、前記粗砕片を解繊物に解繊し、前記解繊物の少なくとも一部を用いてシートを成形し、成形された前記シートを切断し、切断された前記シートの端材を、粗砕または解繊して前記シートの少なくとも一部として用いるときは、前記切断された前記シートの端材を前記シートに用いないときよりも前記原料の供給間隔を長くすることを特徴とする。シート製造方法。
【手続補正５】
【補正対象書類名】明細書
【補正対象項目名】００２３
【補正方法】変更
【補正の内容】
【００２３】
この構成によれば、十分に解繊されなかったものを粗砕のため粗砕部にまたは解繊のため解繊部に供給（再利用）する際に、供給部から供給する原料の供給間隔を長くすることで、粗砕部または解繊部への原料の全体供給量を一定にすることができ、成形されるシートの厚みの変動を抑えることが可能となる。
また、本適用例にかかるシート製造方法は、繊維を含む単票の原料を供給し、供給される繊維を含む原料を粗砕片に粗砕し、前記粗砕片を解繊物に解繊し、解繊された前記解繊物を第１選別物と第２選別物とに選別し、前記第１選別物を用いてシートを成形し、前記第２選別物を粗砕または解繊して前記シートの少なくとも一部として用いるときは、前記第２選別部を前記シートに用いないときよりも前記原料の供給間隔を長くすることを特徴とする。